(57)【要約】  圧力換気ソール（４０ａ−ｅ）として、足の裏の押圧プレート（１０、２０、３０）と下のソールの間の空間で、横断プロファイリングで歩くときに、ユーザーの体重によって変位可能であり、且つ換気の意味でそこに含まれる空気量を押しのける、柔軟な押圧プレート（１０、２０、３０）が下部ソールに載る形態で設計されている、靴のインソール又はブランドソールであって、前記圧力換気ソール（４０ａ−ｅ）の前記下部ソールは、ばね鋼又は同等のプラスチック材料から波状の構造ソール（１）として作られており、その横断プロファイリングは、波状プロファイルとして形成されており、且つ前記構造ソール（１）に垂直に作用する圧縮力に対して圧力安定性があり且つ変形に対して耐性があること、及び前記足の裏にある押圧プレート（１０、２０、３０）は、ポンププレート及び／又は圧縮プレートのように、前記構造ソール（１）の形状安定した波の谷間（１２）内に移動可能である、インソール又はブランドソール。【選択図】  図２
2020527444.tif 000002
【特許請求の範囲】
【請求項１】
圧力換気ソール（４０ａ−ｅ）として、足の裏の押圧プレート（１０、２０、３０）と下のソールの間の空間で、横断プロファイリングで歩くときに、ユーザーの体重によって変位可能であり、且つ換気の意味でそこに含まれる空気量を押しのける、柔軟な押圧プレート（１０、２０、３０）が下部ソールに載る形態で設計されている、靴のインソール又はブランドソールであって、ここで、前記圧力換気ソール（４０ａ−ｅ）の前記下部ソールは、ばね鋼又は同等のプラスチック材料から波状の構造ソール（１）として作られており、その横断プロファイリングは、波の山（１１）と波の谷間（１２）とを有する波状プロファイルとして形成されており、且つ前記構造ソール（１）に垂直に作用する圧縮力に対して圧力安定性があり且つ変形に対して耐性があること、及び前記足の裏にある押圧プレート（１０、２０、３０）は、ポンププレート及び／又は圧縮プレートのように、前記構造ソール（１）の形状安定した波の谷間（１２）内に移動可能であり、
前記押圧プレート（３０）が波状構造（３３）を有する曲げ弾性板から構成されていること、及び
前記押圧プレート（３０）の前記波状構造（３３）は、前記構造ソール（１）の波状構造と相補的又は少なくとも部分的に相補的であり、ここで前記押圧プレート（３０）の前記波状構造（３３）の波の谷間（３２）は、前記構造ソール（１）の前記波の山（１１）に乗っていること、及び
前記押圧プレート（３０）の波の山（３１）は前記構造ソール（１）の波の谷間（１２）の反対側にあり、チャネル形状の圧力換気された圧縮空間（１７）を形成することを特徴とする、インソール又はブランドソール。
【請求項２】
前記構造ソール（１）の前記それぞれの波の谷間（１２）がチャネル形状の圧力換気圧縮空間（１７）を形成し、押圧プレート（１０、２０、３０）が谷の谷間を上から覆い、その縦方向の延長に空気と水分の循環があることを特徴とする、請求項１に記載のインソール又はブランドソール。
【請求項３】
前記チャネル形状の圧縮空間（１７）が、端部の少なくとも一方の側で開いていることを特徴とする、請求項２に記載のインソール又はブランドソール。
【請求項４】
前記チャネル形状の圧縮空間（１７）は、前記構造ソール（１）の穿孔（９）を介して換気及び排気可能であることを特徴とする、請求項２又は３に記載のインソール又はブランドソール。
【請求項５】
前記チャネル形状の圧縮空間（１７）はまた、押圧プレート（１０、２０、３０）の穴（１６）を介して換気及び廃棄可能であることを特徴とする、請求項２〜４のいずれか一項に記載のインソール又はブランドソール。
【請求項６】
前記押圧プレート（３０）の波の山（３１）が、前記構造ソール（１）の波の谷（１２）に弾性変形を曲げるのに適していることを特徴とする、請求項１〜５のいずれか一項に記載のインソール又はブランドソール。
【請求項７】
前記押圧プレート（１０、２０、３０）の上側に、好ましくは１つの、メモリー効果を形成するプラスチック材料から形成される、ユーザーの靴底に向けられたエラストマーコーティング（３４）が配置されていることを特徴とする、請求項１〜６のいずれか一項に記載のインソール又はブランドソール。
【請求項８】
前記押圧プレート（１０、２０、３０）は、前記下にある構造ソール（１）とほぼ同じ面積であることを特徴とする、請求項１〜７のいずれか一項に記載のインソール又はブランドソール。
【請求項９】
構造ソール（１）と押圧プレート（１０、２０、３０）とから構成される圧力換気ソール（４０、４０ａ、４０ｂ）は、ハーフソール又はフルソールとして設計されていることを特徴とする、請求項１〜８のいずれか一項に記載のインソール又はブランドソール。
【請求項１０】
上部素材（２２）及び／又は靴底（２７）を介した圧力換気ソール（４０、４０ａ、４０ｂ）が換気及び排気可能であることを特徴とする、請求項１〜９のいずれか一項に記載のインソール又はブランドソール。
【請求項１１】
換気及び廃棄孔の領域に半透膜（３７）が配置されることを特徴とする、請求項１０に記載のインソール又はブランドソール。
【請求項１２】
前記構造ソール（１）は、前記構造ソールの縦方向の回転運動を可能にするが、これに垂直な方向のたわみは、長手方向軸に対して斜めの角度に向けられた横断プロファイリングの波（２）の配置により、横方向の安定性と縦方向の柔軟性を有するという事実によって防止されることを特徴とする、請求項１〜１１のいずれか一項に記載のインソール又はブランドソール。
【請求項１３】
横断プロファイリングの個々の波（２）は、少なくとも前足領域で、縦方向の中心線に対して７０〜８５度、好ましくは７７度、の角度で延びていることを特徴とする、請求項１２に記載のインソール又はブランドソール。
【請求項１４】
少なくとも前記構造ソール（１）の端部がエラストマーのエッジング（４４）に接続されていることを特徴とする請求項１〜１３のいずれか一項に記載のインソール又はブランドソール。
【請求項１５】
そこにある押圧プレート（２０、２０‘）に関連するエッジング（４４）は、圧力換気ソール（４０、４０ａ−４０ｅ）の換気チャネル（２１）に気密に接続された、チャネル構造（４６）を形成していることを特徴とする請求項１４に記載のインソール又はブランドソール。
【発明の詳細な説明】
【技術分野】
【０００１】
本発明は、請求項１の上位概念に記載の圧力換気付きの中敷き(インソール、Einlegesohle)又はブランドソール(Brandsohle)に関する。
【背景技術】
【０００２】
ＤＥ１８７２３３８Ｕ１によって、歩行運動中に足裏床(Fusssohlenbett)の換気を引き起こす靴インサートであって、靴のソール部分にしっかりと組み込まれているが、いわゆる「中敷き(Einlegesohle)」としても使用できる靴インサートが知られている。
【０００３】
本発明と同様に、そこの圧力換気ソールは、層状に構成された中敷きシート(Einlegeblatt)で歩行する際に、プレッシャープロセスとリリーフプロセスを交互に繰り返すことにより、靴底と足底の間に、一方では不快な発汗を防ぎ、足裏の換気が不十分であるという不健康な影響を防ぐ、他方では暑い気候での快適な冷却を可能にするという、空気循環が生成されるように作用する必要がある。
【０００４】
この場合、好ましくはプラスチック材料で作られたジグザグ形のフィルムが、布地材料からなる上層と下層の間に挿入される。前記フィルムは、例えば、つま先の縁、かかと部分の端、及び土踏まずの領域で(im  Bereich  der  Fusskehle)布の最上層に取り付けられている。フィルムのリブは、靴底の縦方向に対して横方向に延びることが好ましい。フィルムの輪郭は、靴のインソールの輪郭より小さく保たれ、それにより、
靴のインサートの輪郭より小さく保たれているため、キャビティの口とエッジで接続された最上層と最下層との間のフットベッド全体をチャネルが通るようにする。
【０００５】
たとえば、ジグザグフィルムがサッカーボールの領域に押し込まれた場合、この領域のキャビティ内の空気はチャネル横方向に逃げ、最上層と最下層のファブリックを介してフットベッドの端まで逃げ、そこで空気交換が行われる。上向きに押し出された空気の一部は、最上層の布の細孔を通って足の裏に到達する。
【０００６】
ジグザグに折り畳まれたプラスチックフィルムからなるインサートの配置に加えて、この刊行物はまた、一緒に押されたときに平らに折りたたまれ、折り目の間のキャビティに保存された空気をインサートの周縁に向かって移動させる、２つの鏡像ジグザグ形状のプラスチックフィルムを開示している。同様に、長手方向に互いに接続された空気充填ホースが記載されており、これはインサートの長手軸に対して横方向に設置され、歩行時に一緒に押され、それぞれのホースに含まれる空気が絞り出される。
【０００７】
圧縮可能でジグザグに折りたたまれたプラスチックフィルムの欠点は、曲がり角で鋭角に収束するフィルムストリップが、歩行中に一緒に押されると壊れて割れることがあることである。したがって、そのようなフィルムの寿命は非常に限られている。屈曲ポイントを壊すと、壊れた破片が布でできた最上層を通り抜け、足の裏を傷つける可能性がある。
【０００８】
さらに、ローリングモーション中に迷惑なバキバキ音とパチパチ音が発生する。歩行運動中のソール構造の柔軟性（圧縮性）により、地面から足の裏に安定した反力が発生せず、これは足の裏の安全でない転がり運動につながり、足のアーチが横に曲がる危険性がある。したがって、拇指形成(Halux-Bildung)のリスクを排除することはできない。
【０００９】
引用された文書は、別の例示的な実施形態において、2つの鏡像的なジグザグ形状に折り畳まれたプラスチックフィルム、これらには、破損とノイズの発生という同じ問題があり、さらに、上部のジグザグ層が下部のジグザグ層に対して移動し、2つの層が噛み合い、換気効果が消失するという別の問題がある。したがって、2つの層の変位不可能な(verschiebungssichere)固定は、不可能ではないにしても費用が掛かる。
【００１０】
互いに接して配置され、それらの接触線の領域で互いに接続されている、第３の実施形態で述べた空気充填ホース自体も証明されていない。ここでも、望ましくないノイズの生成に加えて、圧縮を引き起こす強い力のために、ホースが長期的に破損し、互いに対して動くリスクがある。
【００１１】
したがって、既知の圧力換気ソールの欠点は、下部及び上部ソールプレートが柔軟な繊維材料で構成されるため、床の凹凸に依存しない背圧(Gegendruck)を備えた安定したソールが提供されないことである。したがって、ジグザグに折り畳まれたフィルムが載る下部の平らなソールプレートのみがあり、足の裏が載る同様に平坦で柔軟な押圧プレート(Druckplatte)によって上部が覆われている。前記フィルムは、足の裏が乗る平らで柔軟な押圧プレートによって上部が覆われている。平らなソールプレートのため、ランニング中の足の裏の安定した支持は不可能である。むしろ、（下側の）平らなソールプレートは、望ましくないことに地面に適応し、及びしたがって、平らでない表面で転がるときに足の裏を安定してサポートしない。
【００１２】
足の裏の押圧プレートは柔軟なフラットプレートとしても設計されているため、既知の圧力換気性ソールは、互いに間隔をあけて配置された２つの柔軟なフラットプレートから構成され、それらの間にジグザグに折り畳まれたプラスチックフィルムが配置されている。
【００１３】
したがって、ジグザグに折り畳まれたプラスチックフィルムの領域内の圧力下で収縮する空気で満たされたキャビティを有するこの従来技術による圧力換気ソールは、いくつかの点で不利であること、及び歩行時に足の裏に十分なサポートを提供せず、長寿命も持たず、十分な通気を確保せず、そうでなければ足の裏の怪我につながる可能性があると判断することができる。
【００１４】
米国特許第２２３４１９０Ａ号により、間隔をあけて配置された２枚のジグザグ形状のばね鋼シートからなり、それらの間に空気で満たされたフィルムバッグが配置されている、多層ばね鋼ソールが知られている。ジグザグプロファイルは、縦軸に垂直な方向に配置される。上記の多層ばね鋼ソールは、ばね鋼層間に配置された空気で満たされたフィルムバッグを通して減衰効果を可能にする目的を持っている。したがって、足の裏の換気はできない。
【００１５】
米国特許第２，３３４，７１９Ａ号により、溝とブリッジ状(stegartige)の突起が行と列に配置された複数の換気ポイントに配置されている、ゴム又は他の圧縮性材料から作られた圧力換気ソールが知られている。これらの換気ポイントは、短い長方形の換気ポイントとして設計されており、その縦軸は圧力換気ソールの縦軸に直角に向けられている。歩行中、靴底の屈曲効果により、縦軸に対して横方向に向けられた溝が互いに押し付けられ、そしてそこに含まれる空気をパーフォレーション穴を通して足の裏に向かって絞り出す。
【００１６】
圧縮可能な溝の配置の代わりに、この文献はまた、波形中間層がゴム製の上層と下層の間の空間に配置されている実施形態も記載している。前記波形中間層は、改善された弾力性を提供すると言われ、且つ同様に弾性的に圧縮可能なゴム材料からなる。
【００１７】
前述の波状の圧縮可能なインサートは、波の山と波の谷の間の空間に空気で満たされた圧縮可能な空間を形成し、歩行中に膨張性の空気が排出される。
【００１８】
上記の配置の欠点は、換気ポイントが短いこと、及び行と列が相互に間隔を空けて圧力換気ソールに組み込まれていることである。したがって、換気効果は最小限である。
【００１９】
別の欠点は、波形インサートのゴム弾性圧縮によって換気効果が達成されることである。これは、インサートが重度の摩耗を受けやすく、波形インサートの弾性が増加する年齢とともに低下するという欠点に関連している。したがって、波のような構造は崩壊し、換気効果はもはや達成されない。
【００２０】
ＵＳ４９１０８８２Ｂ１の主題によって、台形の溝に囲まれた空気が歩行運動中に横リブからなるソールに押し出される別の圧力換気ソールが知られている。その場合、換気効果は最小限である。強制的な圧力換気はない。
【００２１】
同一出願人共同体に遡るＤＥ２０  ２００８  ０１８  ３６６  Ｕ１において、ばね鋼又は同等のプラスチック材料で作られた構造ソールとして作られ、且つ中央の縦線に対して斜めに走るリブ形状の横断プロファイリングを有する穴あき中敷であって、前足領域の横断プロファイリングは後足領域の横断プロファイリングとは異なる、穴あき中敷が記載されている。換気効果は、靴の中敷の下に設置されたハニカム又はチャネルシステムに関してのみ説明されていた。低い換気効果に加えて、さらにこのような構造の設置高さは望ましくないほど増加する。
【００２２】
波のプロファイルは、連続して配置された複数の波から構成され、それらのうち各波は波の山と隣接する波の谷から構成されている。
【００２３】
そのような構造ソール又はブランドソール(Brandsohle)のさらなる特徴に関しては、ＤＥ１００１５２４０Ａ１又はＤＥ１９９５６０７２Ａ１を参照されたい。
【００２４】
これらの２つの刊行物においてそのようなインソール(Einlegesohle)及び／又はブランドソール(Brandsohle)の構造及び機能が詳細に記載されており、且つこのように設計された構造ソールの特性も本発明の主題である。
【発明の概要】
【発明が解決しようとする課題】
【００２５】
ＤＥ  ２０  ２００８  ０１８  ３６６  Ｕ１の主題によるインソール又はインソールを使用すると、換気効果と水分輸送が大幅に増加する可能性があることが判明した。
【００２６】
したがって、本発明は、ＤＥ  １  ８７２  ３３８  Ｕ１の主題による、靴のインソール又はブランドソールから出発して、インソール及び／又はブランドソールからの空気及び水分の輸送を著しく改善する、特にそのようなインソール又はブランドソールの寿命を延ばす、転がり運動中の負傷及び騒音のリスクを回避する、及び足の裏の改善されたサポート機能を提供するという目的に基づいている。
【課題を解決するための手段】
【００２７】
この目的を達成するために、本発明は請求項１の技術的教示によって特徴付けられる。
【００２８】
現在、波形リブ付きインソール又はブランドソールの特別な特性を使用して加圧換気が行われることが有利である。なぜなら、本発明によれば、構造ソールの波の谷に入ったときに、ユーザーの体重によって変位する可能性がある、上部の曲げ弾性押圧プレートがそのような構造ソールの波形プロファイル上に配置されているためである。
【００２９】
圧力換気ソールの（下に位置する）波形模様の構造ソールは、ばね鋼又は同等の柔軟なプラスチック材料から作られた、その横断プロファイリングがほぼ丸い波の山と波の谷を持つ波のプロファイルとして設計されており、且つ構造ソールに垂直に作用する圧縮力に対して圧力安定性であり且つ変形に対して抵抗力がある、波形構造ソールとして作られることが有利である。足の裏側の押圧プレートは、ポンプ及び/又は圧縮プレートの方法で、構造ソールの寸法的に安定した波の谷間に押し込むことができ、且つ構造ソールの上部と押圧プレートの下部の間のスペースに形成された、換気チャネルの領域の空気を押しのける。この場合、波形構造を有する押圧プレートは、靴底の全長にわたって連続的に１〜３ｍｍの範囲の好ましい厚さを有する可撓性プラスチックからプレート状に形成することができる
【００３０】
別の実施形態において、プレート状の押圧プレートは、波形構造を備えた押圧プレート上の足裏の改善されたはめ込み(Bettung)を保証する、エラストマー圧力体に接続することができる。さらに、波形構造は、靴底に面するエラストマー圧力要素の上側に延びることもできるため、足の裏の圧力は、エラストマー圧力体に接続された押圧プレートの波形構造に直接作用する。
【００３１】
ＤＥ  １  ８７２  ３３８  Ｕ１と比較して、下部のフラットソール、それに取り付けられたジグザグフィルム、及びフットソール側のさらなるフラットソールから構成される、よく知られた３層ソール構造は回避され、そして本発明では、好ましくは（排他的ではないが）２つのソールプロファイルからなる２層構造のみが提案される。ここで、下部ソールは常に波形で柔軟な変形安定構造ソールとして設計されるのに対し、上部ソールは少なくとも部分的に補完的な圧力ソールとしてか又はフラットソールとして設計できる。
【００３２】
これにより、ソール構造がよりシンプルになり、その高さがより平坦になり、そして、これまで必要だったジグザグフィルムは、上下に直接配置された2つの構造ソール、すなわち下部波形構造ソールと、少なくとも部分的に相補的な波状又は平坦な、上部押圧プレートの、ソール構造によって実現される。よりシンプルでフラットなソール構造により、地面に対して支持される構造的ソール構造により、換気効果が向上する。その場合、先行技術による中間層として使用されるジグザグに折り畳まれたプラスチックフィルムとは対照的に、下部ソールは、波形構造のソールとしての特性のために、圧縮可能ではない。
【００３３】
これによって、これまで知られていなかった圧力換気ソールが記載されている。構造ソールの既知のリブ構造（ＤＥ  １００  １５  ２４０  Ａ１又はＤＥ  １９９  ５６  ０７２  Ａ１を参照）は、構造ソールの圧力及び／又は強制換気に使用される。これは、構造ソールのリブ構造に配置される曲げ弾性押圧プレートを追加することによって行われる。
【００３４】
好ましくはリブ付きばね鋼ソールとして設計された上記文献から知られている構造ソールは、靴の中で足の裏を転がしている間、リブ構造に対して長手方向に曲げることのみを可能にすることが認識された。したがって、それぞれの曲げ線は、ばね鋼のリブのそれぞれの長手方向の延長部に平行である。このため、構造ソールは構造ソールの縦方向の回転運動を可能にするが、これに垂直な方向のたわみを防ぐ。
【００３５】
ＤＥ  １  ８７２  ３３８  Ｕ１と比較して、足裏の交差安定支持が提供され、転がり運動中に圧力換気靴底が圧縮されないという利点が達成される。これにより、望ましくない騒音発生に加えて、足裏の不十分な支持及び従来技術における安全でない走行感覚も引き起こした。これは、従来技術では、望ましくない騒音の発生に加えて、足の裏の不十分な支持と安全でない走行感も引き起こした。
【００３６】
これにより、構造ソールの波の山とそれに相補的な波の谷は、構造ソールに垂直に作用する圧力に対して圧力安定性があり、且つ変形耐性があるという知見が生まれる。したがって、それらはそのような圧力負荷の下で曲がらず、変形しない。したがって、それらは波の山に配置された、したがって、形状安定した波の谷に変形することができ、そこに存在する空気体積を圧縮することができる、押圧プレートの形状安定したカウンターベアリングとして機能する。
【００３７】
リブ形状の横断プロファイリング(Querprofilierung)に配置された押圧プレートは、圧縮ツールのように機能する。したがって、押圧プレートはピストン、変形安定シリンダースペース（構造ソールのリブ状構造の波の谷間）に侵入し、そこで圧力換気を行うピストン、と比較できる。しかしながら、それは足の裏の転がり運動中に生じる構造的底の曲げ運動に関与し、そして構造ソールと一緒に柔軟に変形する。
【００３８】
これはまだ知られていなかった効果である。なぜなら、構造ソールのリブ形状の横断プロファイリングを覆う曲げ弾性押圧プレートを追加すると、ユーザーの体重を介して行われる、インソール又はブランドソールの圧力が増加するか、強制換気が行われるためである。ユーザーは自分の体重を押圧プレート上で転がす。
【００３９】
これにより、それ自体公知のバネ弾性構造ソールの新しい特性が導入される。既知の構造ソールの波の谷と波の山は、上から圧力が加えられたときに本質的に降伏せず、ユーザーの体重により、構造ソールの波の谷間に移動するのに適している、曲げ弾性押圧プレートが構造ソールのリブ状横断プロファイリングに配置されている場合、変形不能な溝状又はチャネル状の圧縮空間として使用できることが認識されたためである。その際、構造ソールは歩行安定した(trittstabil)ままで、圧縮不可能である。
【００４０】
これにより、変位を防ぐために構造ソールに固定する必要がある押圧プレートが配置されているため、構造ソールのトラフの強制換気が増加する。
【００４１】
この場合、変位に対する保護は、さまざまな方法で実行できる。
【００４２】
第１の実施形態において、押圧プレートが靴の内部を埋めるように配置されているため、押圧プレートが靴の上部の内側のすべての側面に載っていること、が提供され得る。
【００４３】
別の実施形態において、押圧プレートが、その下に配置された構造ソールの波の山に接着されることが提供され得る。
【００４４】
第３の実施形態において、押圧プレートは、構造ソールに単純に緩く配置されるだけでよい。
【００４５】
このように形成された圧力換気ソールは、靴の中敷(Einlegesohle)として使用するか、靴のソールシャシー(Sohlenchassis)のようにブランドソール(Brandsohle)として設置することができる。
【００４６】
好ましい実施形態において、押圧プレートは平坦なプレートとして設計されており、任意の可撓性材料、例えば、リブのない板状のばね鋼材料など、から、又は、例えば、厚さが０．１〜２ｍｍのプラスチックプレート又は他の適切な板状の柔軟な材料から構成することができる。
【００４７】
第１の実施形態において、押圧プレートの面積は、その下に配置された構造ソールの面積にほぼ対応することができる。構造的ソールは、インソールとしても同様にブランドソールとしても、ハーフソールとしてか又はフルソールとしてのいずれかで設計できる。特に女性用パンプスや他の同等の靴の種類で使用する場合は、特に、前足部分にインソール又はブランドソール（構造ソール）のみを配置するだけで通常十分である。これらの場合、押圧プレートは構造ソールとほぼ同じ面積である。
【００４８】
第２の実施形態において、押圧プレートが構造ソールの表面の一部のみを覆うようにすることができる。次に、この重なりの領域でのみ強制圧力換気も行われる。
【００４９】
構造ベースの谷に形成され、前述の強制換気から生じる気流を除去するために、第１の実施形態において、溝形状の圧縮空間（つまり、構造ソールの溝状の波の谷間）の（走行方向に対して角度をつけて横方向を向く）端面上の気流は端面から流出し、及びしたがって靴の内側の靴の上部材料の内側に到達することが意図される。
【００５０】
別の実施形態において、下部構造ソールを覆う上部押圧プレートに複数の穿孔があるため、構造ソールの波の谷間の縦方向に空気流が強制されるだけでなく、空気流が追加（又は単独で）押圧プレートの穿孔又はパーフォレーションを介して、靴の内側でユーザーの足裏に直接上向きに導入されることが意図される。
【００５１】
これにより、ユーザーの足が歩行中又は押圧プレートの位置の変更中に押圧プレートに加える圧力負荷の変化が、圧縮空間の圧力換気につながることが保証される。冒頭で述べたように、それぞれの溝形状の圧縮空間は、構造ソールの波の谷間フによって形成され、その上部パッキング材料は、波の谷間に変形する押圧プレートによって形成される。構造ソールの波形構造とその上にある押圧プレートとの間の換気チャネルで囲まれた空気が追加のエアクッション、これは足の裏の特に安価で優しいはめ込みをもたらす、を形成するため、ユーザーはいわば空気で走る。
【００５２】
圧力換気ソールの一部の領域において、特に快適な走行感を生み出す空気で満たされた圧縮空間を形成するために、構造ソールの波形構造とその上にある押圧プレートとの間の換気チャネルのいくつか又はそれ以上が密閉されていることが意図される。そのような閉鎖空気容積は、好ましくは、かかと領域に配置される。
【００５３】
さらなる実施形態において、押圧プレートが平らで柔軟なプレートとして設計されていないだけでなく、下にある構造ソールの波形構造を少なくとも部分的に補完する波形構造も持っているため、靴の内部の圧力換気又は強制換気のさらなる増加が可能であることが認められた。この押圧プレートの波形構造は、下にある構造ソールの波形構造とは対照的に、圧縮可能である。これは、押圧プレートの波の山と波の谷が足の裏からの圧力を受けて平らに押され、構造ソールの波構造に移動し、換気チャネルの領域にある空気を圧縮し、換気チャネルの縦方向に強制的に排出することを意味する。
【００５４】
これは、押圧プレートの波構造の波の谷間が構造ソールの波の頂上にあること、押圧プレートの波の山は構造ソールの波の谷間の鏡像関係にあり、それにより、それによって形成された換気チャネルの領域に多数のチャネル形状の圧力換気された圧縮空間を形成することを意味する。
【００５５】
一方では、これにより、換気チャネルの領域の圧縮空間の空気量が大幅に増加する。これは、構造ソールのリブ形状の横断プロファイリングで、それぞれの波の谷間の反対側に押圧プレートの波の山があるためである。これにより、圧縮空間の空気量が２倍になる。
【００５６】
歩行時又はユーザーの足の重量がシフトしたときに、押圧プレートの波の山が構造ソールの波の谷間に移動するように、波形の押圧プレートの曲げ弾性が設計されている場合、構造ソールの溝状チャネル状の圧縮空間では圧力換気効果が増加する。
【００５７】
これにより、強制換気効果が大幅に向上する。
【００５８】
波形構造を有するそのような押圧プレートを使用する場合、そのような波形の押圧プレートは、可撓性材料、例えばプラスチックプレート又は可撓性金属プレートなど、この場合、好ましくはばね鋼材料からなる、からなることが意図される。
【００５９】
全く同様に、その表面がユーザーの靴底の方を向いている、押圧プレートの波形構造に追加のエラストマーコーティングを充填し、それにより、ユーザーの足裏に面する波状押圧プレートの表面は、完全に平らで、連続的で、且つ柔らかく弾性的であることが意図される。これにより、エラストマー圧力体、例えば、発泡独立気泡プラスチックから構成される、が形成される。
【００６０】
すべての場合において、押圧プレート（フラットプレート又は波形プレート）に、押圧プレートの表面から足の裏まで空気の流れを可能にする追加の穿孔があることが意図される。
【００６１】
仮に押圧プレートが上から弾力的に覆われていても、それにもかかわらず、押圧プレートに対応してプロファイリングされた凹部、穿孔、又はミシン目を配置することができる。
【００６２】
波形構造又は押圧プレートの平面構造の弾性コーティングが、メモリー効果を形成するプラスチック材料で実行される場合、特に有利であることが判明した。なぜなら、ユーザーの足の裏が、特に穏やかで且つ圧力ピークを回避する方法で、波形又は平らな押圧プレートの表面を転がるからである。
【００６３】
指定された例示的な実施形態において、確かに波構造、構造ソールと押圧プレートの両方、の純粋な正弦波形状が示されている。しかしながら、本発明はこれに限定されない。
【００６４】
他の波形は、好ましくはばね鋼から作られた構造ソールと、柔軟な押圧プレートの両方において使用できる。
【００６５】
特に、波の形をした、連続的に融合した、波の頂上の丸みを帯びた構造が直線に置き換えられること、及びそのつど、波の頂の（以前に丸められた）最大値が水平な直線に置き換えられることが意図される。
【００６６】
したがって、そのような正弦波波形の代わりに、他のすべての波形、特に前述の台形プロファイルが可能である。全く同様に、構造ソールと、構造ソールを少なくとも部分的に覆う押圧プレートの両方について、非対称のプロファイル形状も可能である。
【００６７】
好ましい例示的な一実施例において、波形構造内に横方向に存在する横方向空気出口は、前足部の領域にのみ配置可能であり、そのような横方向空気出口開口部は後足領域には設けられない。ことが意図される。そこでは、換気チャネルが密閉されており、且つ特別なバネ特性を持つ空気で満たされた圧縮空間を形成している。
【００６８】
本発明のインソール又はブランドソールにはいくつかの好ましい実施形態がある。
【００６９】
ブランドソールとして実施が使用される場合、上部素材において、釣り込みを（einen  Zwickanschlag）達成するために、ばね鋼ソールの裏側のソール方向に、柔軟な全面カバー又は部分的に平らなエッジをつける必要がある。
【００７０】
ばね鋼ソールをインソールとして使用する場合、ソール側のこのようなテキスタイルカバーは必要ない。
【００７１】
仮に、ばね鋼ソールのソール側下面のテキスタイルメンブレン又はテキスタイルカバーが省略されていても、可撓性のばね鋼ソールがエラストマープラスチックで上部素材に側面に吹き付けられていれば、靴のブランドソールとしての設置も可能であろう。
【００７２】
ブランドソールとしての取り付けも、前記釣り込み(der  Zwickeinschlag)がばね鋼ソールの下面に接着されている場合に可能である。
【００７３】
今や、弾性膜として柔軟なばね鋼ソールを覆う押圧プレートに、インソール又はブランドソールの長さの一部のみに波形構造を装備できることも又は有利である。
【００７４】
しかしながら、別の実施形態にある、下にある弾性のあるソールの表面の全長にわたって延在することもできる。したがって、押圧プレートの長さを短くすることができる。
【００７５】
したがって、押圧プレートの波形構造は、ソールの一部のみ又は全域にも広がることができる。
【００７６】
排気口を横方向だけでなく上方向にも配置することもできる。押圧プレートの波形構造は、ヒールウェッジ(Fernsenkeil)が設けられている後部では省略できる。それによって、換気機能がない中空チャネルが形成される。しかし、このような中空チャネルは、ソール構造全体の追加の弾性をもたらす。これは、気密密閉された中空チャネルの圧縮可能な空気ポケットは、歩行時に追加の減衰につながるためである。
【００７７】
本発明の有利な発展形態において、押圧プレートが複数の層で構成されること、及び好ましくは２つの異なるショア硬度を有することが意図され得る。
【００７８】
たとえば、弾力性のあるソールの波型表面に直接置かれる波型構造側では、ショア硬度は７５である。この硬度は、たとえば４０のショア硬さを有する、足の裏に向かってより柔らかい表面層を持つ硬度よりも硬い。これにより、押圧プレートの比較的硬い下側がばね鋼ソールの波形構造上の硬い表面に直接置かれるため、押圧プレートに置かれた足の裏のはめ込み効果（Bettungseffekt）につながり、望ましい増加したポンピング効果につながる。一方、足の裏に面する圧力換気ソールの表面は、その上に横たわっているユーザーの足裏のはめ込み効果を形成する。
【００７９】
２つの異なるショア硬度を備えた押圧プレートの多層構造の代わりに、押圧プレートの下側に直接接続され、且ついわゆる補強シートとして又はポンプ効果プレートとして下にあるばね鋼ソールの通気効果を高めるために、ばね鋼ソールの波形構造にポンプ構造の意味で作用するインサート部分(Einlegeteil)、を提供することも可能である。一方、押圧ープレートの残りの領域は、ポンププレートの柔らかい表面のみを形成する。
【００８０】
さらなる開発では、その上にある押圧プレートに関連してばね鋼ソールの波形構造に形成されたキャビティが、連続気泡フォーム又は同じ空間充填及び空気搬送エラストマープラスチックで充填されることが意図される。同様に、活性炭が豊富な物質を空気搬送キャビティに配置することができる。
【００８１】
少なくとも押圧プレート及び／又はばね鋼ソールの空気搬送キャビティが抗菌及び／又は防臭コーティングでコーティングされることも意図され得る。
【００８２】
金属製のばね鋼ソールの場合、銅（ＩＩ）酸化物コーティングによる抗菌コーティングが提案される。
【００８３】
押圧プレートが、簡単に曲げることができる弾性シートメタルプレート又は同等のプラスチックプレートから構成されている場合、これには、適切な抗菌コーティングを施すこともできる。
【００８４】
空気搬送キャビティを充填する材料として、キャビティの長手方向に通気性のあるハニカム構造も提供できる。前記ハニカム構造は、圧縮可能であり、且つ圧縮されると、そこに含まれる空気が上の押圧プレートから逃げることを可能にする。このハニカム構造には、消臭剤及び／又は抗菌コーティングを施すこともできる。
【００８５】
その他の点では、解決策として、押圧プレートの波形構造が、その下のばね鋼ソールの波形構造を正確に補完する(鏡像的である)必要はない。換気の効率が良いため、このような設計が推奨される。なぜなら、
００８５
このソリューションでは、押圧プレートの波型構造が、その下のスプリングスチールソールの波型構造と完全に相補的（鏡像）である必要はありません。このような実施形態は、換気の良好な効率のために好ましい。なぜなら、そのような補完的な構造では、押圧プレートの各波の山が、構造ソールの各波の谷間とほぼ横方向の換気チャネルを形成するからである。しかしながら、本発明はこれに限定されない。
【００８６】
むしろ、別の実施形態において、たとえば、押圧プレートの２番目又は３番目の波のみが、下のばね鋼ソールの補完的な波と圧力換気チャネルを形成し、その間の領域は平坦であり、且つ減圧換気機能が全くないか、又は減圧換気機能が少しだけあることが意図され得る。これにより、押圧プレートの領域が構造ソールの波形構造にぴったりと適合し、それにより押圧プレートと構造ソールとの間の軸方向の変位に対する保護（Verschiebungssicherung）が改善されるという利点が得られる。
【００８７】
さらなる実施形態において、構造ソールの波形構造上の押圧プレートの固定を改善するために、押圧プレートに特定の変更を加えることが意図され得る。
【００８８】
そのような第１の実施形態において、押圧プレートの波の谷間は連続的且つ弓形ではなく、平らなブリッジ(Flachstege)又はアーチブリッジ(Bogenstege)として形作られていることが意図される。このタイプのブリッジ(Steg)形成は、下にある構造ソールの波の頂上の押圧プレートの改善された固定を保証する。構造ソールの波の山の押圧プレートの平らなブリッジ又はアーチブリッジの領域の固定として、接着接続又は溶接接続又は別の材料閉鎖接続を使用できる。
【００８９】
そのほかに、構造ソールは、波の山の領域にくぼみ、穴、又は穿孔を有し、その中に押圧プレート自体の材料又はその接着剤がぴったりとはまり、そこに固定されることも意図され得る。
【００９０】
別の実施形態において、押圧プレートと構造ソールとの間の機械的接続も意図される。これは、機械的に作用するスナップイン接続又はクランプ接続であると有利である。この場合、押圧プレートの面から突出するネップ(Noppen)、ボルト、又は爪(Klinken)、これらは構造ソールに割り当てられた形状に適合した凹部に係合し、そこにロックされる、が押圧プレートの下面に形成される。構造ソールの表面から突出するネップ、ボルト、又は爪が、上の圧力プレートの形状に適合した凹部に係合する、このような接続の運動学的反転も可能である。
【００９１】
本発明のさらなる発展形態では、構造ソールの新しい構成が、そこに固定された押圧プレートに関連して意図される。それは、波形構造で構造ソールを囲み、且つ、たとえば８ｍｍの追加の波状エッジで構造ソールの周囲を囲んでいる、エラストマープラスチックから作られた安定化エッジである。エッジング(Randeinfassung)は、構造ソールのエッジ領域をカバーし、且つそこに接着されおり、そこで発泡もしくは吹き付けられている。外側の領域では、ばね鋼ソールの輪郭を約８ｍｍ超えて延びており、且つばね鋼ソールの波形構造を継続し、及びしたがって圧力換気ソールの換気構造も継続している。
【００９２】
波状のエッジングにより、圧力換気ソールを靴のシャフトに簡単に取り付けることができる。ツールや保持手段は構造ソールに作用する必要はなく、その周囲の安定化エッジにのみ作用する。及びそれによって、靴のシャフトでこのような圧力換気性ソールをＳｔｒｏｂｅｌミシン縫製する(zu  strobeln)か、又は釣り込みする(zu  zwicken)のは簡単である。
【００９３】
たとえば、幅が１６又は１８ｍｍの円周方向安定化エッジの寸法が推奨される。その場合、構造ソールの内側で８ｍｍがエッジを囲み、且つ構造ソールの輪郭から８ｍｍ突出する。他の寸法も使用できる。
【００９４】
構造ソールを好ましくは内側で８ｍｍの縁で覆うエッジング(Randeinfassung)の代わりに、構造ソールが安定化縁部によって完全に覆われることも可能にすることも、同様に可能である。
【００９５】
さらに、換気構造を備えた安定化エッジが各波の構造ソールの波形構造を継続しない可能性がある。むしろ、この実施形態において、安定化エッジは構造波の2番目又は3番目の波ごとにのみ継続し、構造ソールの変更された曲げ安定性を達成するため、及び特に、それによりばね鋼ソールの曲げ挙動に影響を与えるため、安定化エッジがその都度その間にある波を完全に満たすことが意図され得る。
【００９６】
すべての実施形態について、構造ベース上にある押圧プレート、これは好ましくは発泡プラスチックから構成される、（ポリウレタンフォーム）が、構造ベースの波形構造を半径方向外向きに継続し、且つ、例えば８ｍｍの寸法だけ構造ソールの輪郭から突出していることが、好ましい。そのため、波形安定化エッジとそこにある押圧プレートは、周囲を囲むエッジングの領域で重なり、それらが互いに覆い、独自の換気構造を形成するようにする。これにより、圧力換気ソールの換気構造が靴の内側に向かって気密に続く。
【００９７】
より良い空気搬送のために、押圧プレートが靴の内側のエッジ側の口の領域にアーチ形の切り欠きを持っていることも意図され得る。
【００９８】
本発明の主題は、個々の特許請求項の主題からだけでなく、個々の特許請求項の相互の組み合わせからも生じる。
【００９９】
要約、特に図面に示されている空間設計を含む、文書に開示されているすべての情報と特徴は、個別に又は組み合わせて従来技術に対して新規である限り、本発明に不可欠であると主張することができる。「本質的」又は「発明に基づく」又は「発明に不可欠な」という用語の使用は主観的であり、いわゆる特徴は必然的に1つ以上のクレームの一部でなければならないことを意味しない。
【０１００】
以下では、本発明を、一実施形態のみを示す図面を用いてより詳細に説明する。本発明に不可欠な本発明のさらなる特徴及び利点は、図面及びそれらの説明から明らかになる。
【図面の簡単な説明】
【０１０１】
【図１】図１は、構造ソール（示されている）を覆う押圧プレートを備えた構造ソールの実施形態の上面図を示す。
【図２】図２は、押圧プレートの無負荷状態での線ＩＩ−ＩＩの方向での図１の配置の部分断面図を示す。
【図３】図３は、押圧プレートが装着された図２と同じ図を示す。
【図４】図４は、図３と比較して修正された実施形態を示しており、押圧プレートは、弾性変形可能なプレートからなる。
【図５】図５は、図１のＶ−Ｖ線に沿った断面を示す。
【図６】図６は、構造ソールのリブ構造に対するプレート形状の押圧プレートの作用の概略図を示す。
【図７】図７は、波形構造を有する押圧プレートを備えた図２と比較して変更された実施例を示す。
【図８】図８は、図７と比較した実施形態を示し、多層押圧プレートが示されている。
【図９】図９は、図７及び図８から変更された実施形態であり、空気搬送圧縮空間が適切な空気搬送材料で満たされている。
【図１０】図１０は、上記の実施形態から変更された実施形態を示しており、押圧プレートの波形プロファイルが構造ソールの波形プロファイルと異なる可能性があることを示している。
【図１１】図１１は、平らなブリッジ(Flachstege)を備えた押圧プレートの実施形態による断面図を示す。
【図１２】図２は、押圧プレートと、アーチブリッジ(Bogenstege)を備えた第２の実施形態における押圧プレートを備えた構造ソールとの間の接続部の断面図を示す。
【図１３】図１３は、圧力換気ソールを上から見た図であり、足裏側の押圧プレートを示している。
【図１４】図１４は、圧力換気ソールを下から見た図である。
【図１５】図１５は、図１４の矢印ＸＶの方向における圧力換気ソールのヒール領域の拡大側面図を示す。
【図１６】図１６は、図１４の矢印ＸＶＩの方向における圧力換気ソールの前足部領域の拡大側面図を示す。
【図１７】図１７は、圧力換気ソールの側面図を示す。
【図１７Ａ】図１７Ａは、圧力換気ソールの概略部分断面図を示す。
【図１８】図１８は、破線で示されたエッジング(Randeinfassung)を持つ圧力換気ソールの底面図を示す。
【発明を実施するための形態】
【０１０２】
図１には、一般に、ばね材料からなる構造ソール１が示されており、これは前述の刊行物に詳細に記載されている。
【０１０３】
このような構造ソール１の機能と構造に関しては、関連刊行物を参照する。その場合、構造ソール１は、構造ソールの縦方向のローリング運動を可能にするが、これに垂直な方向のたわみは、長手方向軸に対して斜めの角度に向けられた横方向プロファイリングの波(Wellen,起伏)２の配置により、横方向の安定性と縦方向の柔軟性を有するという事実によって防止される。
【０１０４】
これは、横断面の個々の波(起伏)２が、少なくとも前足領域において、長手方向中心線に対して７０度と８５度の間、好ましくは７７度の角度で延びることで達成される。
【０１０５】
したがって、先行技術においていくつかの点で不利であると認識されていたように、波は歩行運動中に圧縮（圧縮）の意味で変形しない。その代わりに、それらは歩行安定している(trittstabil)。
【０１０６】
その結果、構造ソール１は、ばね鋼又は同等のプラスチック材料から構成され、且つ、構造ソール１は、中央の縦線５に対してある角度で走るリブ形状の横断プロファイリング(Querprofilierung)を有する。前記横断プロファイリングは、波のプロファイルとして設計されており、且ついくつかの連続する波７、８（そのうち、各波は波の山１１とそれに隣接する波の谷間１２から構成される）から構成されている。
【０１０７】
横断プロファイリングの領域にもさらに穴あけ９がされてある。
【０１０８】
ヒール領域３の横断プロファイリングは、前足領域４の横断プロファイリングとは異なる角度を持っている。
【０１０９】
ちなみに、構造ソール1を使用しているとき、及び歩行プロセス中に構造ソール1を使用しているとき、構造ソール1での歩行中のユーザーの体重に起因する、ＣＯＰラインは、参照番号６で描かれている。
【０１１０】
本発明によれば、構造ソール１は、プレート形状の曲げ弾性押圧プレート２０によって覆われ、その外側輪郭は構造ソールの輪郭よりも幾分大きい。
【０１１１】
本発明によれば、押圧プレート１０が波の山を可能な限り気密に覆うことが意図される以上（図２を参照）、図１と図２との比較から、歩行プロセス中、図２の曲げ線１５‘で示されるように、押圧プレート１０は、その土台に基づき、波の谷間１２の領域内の構造ソール１の非弾性波の山部１１上にそれぞれの波の谷間１２内に変位していることが分かる。
【０１１２】
変形していない押圧プレート１０の以前に平坦で連続した曲げ線１５は、歩行プロセス中に変形した曲げ線１５‘に合流し、これにより、波の谷間１２の領域で圧縮効果をもたらす。したがって、この領域は圧縮空間１７と呼ばれ、そこで矢印１３の方向の空気流及び水分輸送が長手方向に起こる。
【０１１３】
これは、空気及び湿気が圧縮空間１７の長手方向、特に構造ソール１の波の谷間１２の領域に輸送されることを意味する。したがって、溝形状の波の谷間12の端面でのこの空気流と水分輸送は外部に到達し、且つ、矢印１４の方向において、押圧プレート１０の横方向の輪郭を通って靴の内部に上向きに向けられる。
【０１１４】
加えて、押圧プレート１０が複数の穿孔１６を有し、その結果、チャネル形状の圧縮空間１７で生成される空気流は、押圧プレート１０を通って靴の内部に矢印１９の方向に上向きに流れること、及びしたがって、ユーザーの足の底に直接当たることが意図される。
【０１１５】
したがって、押圧プレート１０は、押圧プレート１０‘の形態でほぼ波状に変形し、構造ソール１の波状構造に変形する。
【０１１６】
しかしながら、波の山部１１は押圧プレート１０のカウンターベアリングを形成し、他方、波の谷間１２は靴側カウンタープレート１８によって下面で支持されるため、上述の圧縮効果及び圧縮空間１７が生じる。
【０１１７】
これを図３に示す。その位置１０‘の押圧プレート１０が構造ソール１の波の谷間１２に変形するという事実のために、圧縮空間１７で体積の大きな減少が起こることが分かる。したがって、構造ソールのチャネル形状の波の谷間は、換気チャネル２１とも呼ばれる。換気チャネルから矢印13の方向に空気流が流れ、また、押圧プレート１０を貫通して矢印１９の方向に流出する。
【０１１８】
プレート状圧力プレート１０が構造的ソール１の波の谷間１２上に載る支持点（接続点２９）は、縦方向及び／又は横方向の変位に対してさらに固定されることが意図される。ここで、接着を行うか、又は押圧プレートをリベット、ネジ、スポット溶接、機械的ロック手段、機械的フックイン接続などの機械的接続手段によって構造の波形構造上に保持することができる。
【０１１９】
図４は、プレート状の曲げ弾性押圧プレート１０の代わりに、好ましくは、例えばエラストマー材料で作られた柔らかい弾性材料、例えばＰＵ発泡体、天然ゴムもしくは合成ゴム、ＰＤＭＡプラスチック、又は独立気泡発泡プラスチック、からなる押圧プレート２０も使用できることを示している。
【０１２０】
エラストマー材料からなるそのような押圧プレート２０、２０’の場合、材料は、圧力を受けると変形して元のプレート状の状態に戻ることが必要である（図4を参照）。そのため、このような押圧プレートは、軟質弾性材料から構成することもでき、これは、好ましくは連続気泡又は独立気泡ＰＵフォーム又は別の適切なプラスチック材料から構成される。
【０１２１】
その他の点では、図１から図３を参照して与えられたのと同じ説明が図４の同じ部分に当てはまる。
【０１２２】
図５は、押圧プレート１０、２０、３０が配置された構造ソールの断面を示しており、ここでは、図５の断面から、配置全体を圧力換気ソール４０と呼ぶことができることが明らかである。なぜなら、というのは、押圧プレート１０、２０、３０が適用された構造ソール１は複合体(Verbund)、これを以下では圧力換気ソール４０と呼ぶ、をもたらすためである。したがって、圧力換気ソールは、インソールとして、又は靴構造にしっかりと統合されたブランドソールとして使用できる。
【０１２３】
図５の断面図から、そのような圧力換気ソール（構造ソール１と押圧プレート１０、２０、３０の実施例の１つとから構成される）は現在、ユニットを形成していることが判明した。それにより、このユニットは、靴の靴構造内の既存のブランドソールにインソールとして挿入することができるか、又は圧力換気ソール４０のユニット全体をブランドソールとして靴構造に直接組み込むこともできる。
【０１２４】
ブランドソールとしての設置は図５の例として示されており、ここでは、下部の底側ソール２７から始まり、ソール２７の上方に配置されたスペーサプレート２６上に横方向に形成された上部釣り込み（Zwickeinschlag）２５が形成されていることが分かる。
【０１２５】
靴構造の上部材料２２は、この釣り込み２５において保持されている。上部材料２２と釣り込み２５との間の接続は、Ｓｔｒｏｂｅｌミシン縫製すること(Strobeln)か又は接着することによって行うことができる。
【０１２６】
図５に示される構造では、ブランドソール２４は構造ソール１によって直接形成されることがわかる。且つ（縮尺通りではない）断面からは、構造ソール1が波の谷間12を貫通して切断されていること、及び波の山が横断プロファイリングの縦方向になることも分かる。空気が底を通って矢印方向１３及び１６に輸送される、それぞれのチャネル形状の圧縮空間１０は、この中間空間に形成される。
【０１２７】
したがって、図５は、インソール２３としてだけでなく、靴の靴構造に直接統合されるブランドソール２４としての圧力換気ソール４０の使用を説明している。その場合、既知の任意のタイプの靴、すなわち例えば、作業靴、カジュアルシューズ、スニーカー、サンダル、モカシン、女性用パンプスなど、を使用できる。
【０１２８】
強制換気の換気経路も示されており、且つ一実施形態では、上部素材２２の内側の空気流の一部は靴の内部に流れ込むが、空気流の別の部分は押圧プレート１０、２０、３０の穴１６を通って上方に流れ、ユーザーの靴底に当たって靴の内部に入ることがわかる。
【０１２９】
図５は、靴の内部用のさらなる換気オプションを示している。前記換気オプションは、インソール及び／又はブランドソールのすべてのタイプについて、単独で、又は前述の換気設計と組み合わせて使用できる。
【０１３０】
矢印方向３９の矢印は、圧力換気ソール４０、４０Ａ、４０Ｂによって生成された強制空気流が、関連する凹部を通って上部材料２２内で横方向に流出する可能性も示す。半透膜２７がこれらの凹部の領域に配置される場合、外部への空気交換は可能になるが、水分の内側への浸透は防止されることが好ましい。
【０１３１】
さらに、さらなる換気及び排気換気オプションとして、圧力換気ソール４０、４０Ａ、４０Ｂから始まり、インソール又はブランドソールとして設計できること、靴の靴底２７を通して直接換気及び排気を行うこともできることが記載されている。
【０１３２】
ここでも、湿気が凹部３８を通って靴に浸透することができずに、ソール側に配置された凹部38を強制的に空気が通過できるようにするため、半透膜３７をソールの凹部３８の領域に配置することができる。
【０１３３】
図６は押圧プレートの機能を概略的に示しており、ここでは、簡略化のためにプレート状の押圧プレート１０、２０のみが示されている。しかしながら、同じ原理は、図７を参照して説明される波形構造を有する押圧プレート３０にも適用される。
【０１３４】
図６から、足の裏からプレッシャープレート１０、２０、３０の上側に矢印方向２８に加えられる、ユーザーの体重が、押圧プレート１０、２０、３０に、その平面、下にある構造ソール１の比較的変形不能な構造により、構造ソール１の波の谷間１２に変形する平面、に対して垂直又はほぼ垂直に変形力を及ぼすこと、及びしたがって、波の谷間１２に形成された圧縮空間１７の矢印方向１３に強制換気を提供することが分かる。
【０１３５】
換気効果を高めるため、且つ圧縮空間１７の容積を増やすために、本発明のさらなる発展において、図７によれば、押圧プレート３０は、構造ソール１の波形構造１１、１２に相補的であり、且つ構造ソールの波形構造への振動（位相）によって長手方向にオフセットされている波形構造３３も有することができることが意図される。
【０１３６】
これは、波状押圧プレート３０の各波の山部３１が、下にある構造ソール１の波の谷間１２に対向すること、及び、同様に、波状押圧プレート３０の各波の谷間３２が、下にある構造ソール１の波の山部１１に密閉された状態で載っているということを意味する。
【０１３７】
したがって、圧縮空間１７の変位容積は、純粋にプレート状の押圧プレート１０、２０と比較して２倍になる。曲げ線１５‘は、波状押圧プレート３０の変形を示す。
【０１３８】
波状押圧プレート３０の曲げ弾性は、波状構造３３の変形が可能になるように選択されるべきであるが、波状構造１１、１２のそのような変形は、下にある構造ソール１には必要ない。
【０１３９】
図７は、さらなる例示的な実施形態において、押圧プレート３０の波状構造３３が、好ましくは軟質で弾性のフォーム状材料からなる、追加のエラストマーコーティング３４も担持できることを示す。
【０１４０】
これにより、押圧プレート３０の上側に平坦な接触面が形成され、且つユーザーの楽しさのための心地よいローリング感覚が得られる。
【０１４１】
別の一実施形態において、エラストマーコーティング３４が実質的に高くなるように設計される、すなわち、波状押圧プレート３０の波の山部３１も十分な程度の被覆でエラストマーコーティング３４によって覆われることが意図される。
【０１４２】
押圧プレート３０の材料は、例えば厚さが２〜４ｍｍのプラスチックプレートなど（波構造が刻印され、又は別の方法で成形されている）、変形可能なプラスチック材料からなることが好ましい。
【０１４３】
記載されているすべての実施形態において、靴の内側の強制換気又は圧力換気は、ユーザーの足の裏の重量を変えることによってのみ行われ、半透膜を介した空気の外部供給に依存しない自己完結型システムであるという利点がある。
【０１４４】
この既知の実施形態では、半透膜を使用する場合、水の浸透に関して密封の問題があることがわかった。
【０１４５】
提示される圧力換気には、このような問題はない。なぜなら、それは靴の内部に配置された自己完結型の圧力換気システムであり、半透膜を介した外部からの空気の供給に依存していないためである。
【０１４６】
また、各上部押圧プレート１０、２０、３０が圧力を受けると、空気が靴の内部から押圧プレートを通って構造ソールの波の谷間に吸い込まれる、及び重量が異なって移動するとき、又は歩行運動中に、今度は内部から吸い出された空気が圧縮空間の端部から靴の上部素材の内側に移動するような方法には、吸引効果もある。
【０１４７】
したがって、ユーザーの脚の縦軸に対して垂直方向の空気と水分の輸送の問題だけでなく、垂直方向の空気と水分の輸送、これは、ほぼ構造的ソールのレベルで行われ、靴の上部素材の内側で上方に偏向する、の問題でもある。
【０１４８】
図８は、ユーザーの足裏に面する上部層３０ａが柔らかくされているが、構造ソール１の波形構造上に直接置かれる下層３０ｂはより硬く作られている、２つの層からなる押圧プレート３０を示す。したがって、多層構造４１である。
【０１４９】
図９は、さらなる例示的な実施形態として、空気搬送圧縮空間１７及びそれによって形成される換気チャネル２１が、空間を充填するために、開孔、空気案内及び圧縮性充填材料４２で満たされ得ることを示す。それは、活性炭又は他の脱臭及び／又は抗菌物質を含浸させた連続気泡フォーム又はプラスチックフォーム、又は同じ効果を持つハニカム構造にすることができる。
【０１５０】
図１０は、構造ソール１の各波が押圧プレート３０、３０ａ、３０ｂ、３０ｃの波にも対応することは解決策のために必要ではないことを示している。この例示的な実施形態において、押圧プレート３０ｃは、波の谷間、それらは構造ソール１の波の谷間に少なくとも部分的に係合し、及びしたがって構造ソール１の波構造上の変位に対して波状押圧プレート３０ｃを長手方向に固定する、を含むことが意図され得る。結果として、異なる体積の圧縮空間１７、１７’が形成され得る。別の例示的な一実施形態において、圧縮空間１７’も完全に省略することができる。なぜなら、例えば、押圧プレート３０ｃの２つ又は３つおきの波構造は、構造的ソール１の波構造に完全かつ確実に適応し、それを埋めるからである。
【０１５１】
図１１及び図１２による例示的な実施形態において、押圧プレート３０の様々な実施形態が示されているが、ここでは、これらの実施形態は、前の図面に示された押圧プレート３０ａ、３０ｂ、３０ｃの設計にも適用可能である。
【０１５２】
押圧プレート３０とその下にある構造ソール１の波状構造との間の改善された接続を達成するために、図１１による例示的な実施形態において、押圧プレート３０の波の谷間が平坦なブリッジ(Flachsstege)４３ａとして設計される。これにより、押圧プレート３０の波形構造の構造ソール１の波形構造への改善された適合がもたらされる。
【０１５３】
図１２による例示的な実施形態において、平坦なブリッジ４３ａは、構造ソール１の波の山の領域で押圧プレート３０のさらに良好な適合を達成するためにアーチブリッジ(Bogenstege)４３ｂとして設計することもできることが示されている。
【０１５４】
一般的な説明に示されているように、構造ソール１とその上にある押圧プレート１０、１０’、３０との間の接続は、さまざまなタイプの接続を介して行うことができ、その場合、溶接又は接着接続及び他の材料密閉接続、ならびに機械的接続が言及された。機械的接続と上記の溶接もしくは接着接続との組み合わせも可能である。
【０１５５】
図１３は、インソールとして形成中の、押圧プレート３０ｄの上部が足の裏に面している、圧力換気ソール４０、４０ａ〜ｅの上面図を示している。布地４８の下では、押圧プレートの波形構造３３がはっきりと見え、波形構造３３で転がっている足の裏が圧力荷重を押圧プレート３０ｄの波形構造３３に伝達し、前記押圧プレート３０ｄはそれによって構造ソール１の歩行安定した波形構造１１、１２に変位する。かかと領域３に配置された押圧プレート３０ｄの波状構造３３は、この例示的な実施形態では横方向に密封され、歩行時にエアクッションとして作用する空気で満たされた圧縮空間を形成する。
【０１５６】
図１４は、発泡した柔軟な弾性プラスチック体からなるエラストマー圧力体５３を有する押圧プレートで１８０度回転させた圧力換気ソール４０、４０ａ〜ｅの上面図を示している。
【０１５７】
構造ソール1の波構造は、縁部で構造ソール１の周囲全体に延びている押圧プレート３０ｄに続いている。これにより、構造ソール１の波形構造１１、１２と押圧プレート３０ｄの相補波形構造３３との間に生じる気流が換気チャネル２１から矢印方向１３に横方向に流出することが保証される。空気流の一部は、構造ソール１の穿孔９を通って流れる。空気流の別の一部は、足の裏に対して押圧プレート３０ｄの穿孔を通って流れることができる。換気構造は、前足の一部とかかと領域にのみ広がっていることが示される。本発明はこれに限定されない。図１に示されるように、換気構造は、表面全体にわたって延在し、接続領域５８で会うことができる。
【０１５８】
これは、すべての例示的な実施形態、特に図１３にも当てはまり、ここでは、圧力換気ソールの上側の一部のみが換気構造とともに示されている。
【０１５９】
図１５は、圧力換気ソール３０ｄのヒール領域３を示しており、ここでは、押圧プレート３０ｄの一部であるエラストマー圧力体がヒール領域で厚くなっていることが分かる。
【０１６０】
図１６は、使用の場合の靴の底にあり、且つ靴のインソールの一部又は靴のブランドソールの一部である構造ソール１が上を向いている圧力換気ソール３０ｄの前足領域４９、５０を示す。
【０１６１】
換気チャネル２１の側面開口部は、この斜視図において見ることができる。押圧プレート３０ｄの波形構造３１、３２は、構造ソール１の波形構造１１、１２と相補的である。図１３から図１８による実施形態は、図３から図１０による実施例に対応する。
【０１６２】
構造ソール及び押圧プレート３０、３０ａ〜ｄの相補的な波構造によって形成される換気チャネル２１は、特に大きな容積を有し、且つ効果的な換気効果をもたらす。さらに、ユーザーは「空中を歩いている」感覚を持つ。
【０１６３】
図１７の側面図では、同じ部分には同じ参照番号が付いている。構造ソール１の波形構造は、前足部領域及びかかと領域にのみ配置されている。押圧プレート３０ｄの波状構造３３は、前足部にのみ設けられている。押圧プレート３０ｄは３層に構成され、前足領域の構造ソール１に相補的な波状構造３３を形成する板状の押圧プレート２０からなる。押圧プレートは、かかと領域で厚くされ、且つ上部カバーとして織物４８を担持する軟弾性圧力体５３に接続される。
【０１６４】
図１７Ａは、本発明の基本原理の図と共に、圧力換気ソールの部分断面を概略的に示している。したがって、記載された実施形態のすべてによる圧力換気ソールは、その上を転がる人間の足裏のためのポンプ効果を備えたエアベッドを形成する。
【０１６５】
好ましい例示的な実施形態において、空気案内管チャネル（＝圧縮チャネル）が弾性の開放孔又は閉鎖孔材料で満たされている場合でも、それぞれの管チャネルの断面の少なくとも４０％が空気からの構成される必要がある。
【０１６６】
前述の例示的な実施形態において、ソール側（下側）の構造ソールが上述の波２を有すると意図された。靴のインソール又はブランドソールとしてそのような構造ソール４０ａ、ｂ、ｃ、ｄ、ｅのより良い処理を可能にするために、構造ソール１の下側に配置された波が充填材５７で満たされることが、滑らかなソール側の接着面５６を得るために、有利な展開で意図される。
【０１６７】
そのような充填材料は、技術用語では「アウスバルマッセ(Ausballmasse)」とも呼ばれ、例えば、注ぐことができるワックス又は弾性プラスチック、例えばポリウレタンフォームから構成することができる。
【０１６８】
このようにして、圧力換気ソールは、靴側の靴の内側ソールに簡単に置くことができる。ブランドソールとして設置するためのソールシャシーとして使用する場合、幅の広いエッジング(Randeinfassung)はシューズのアッパーに取り付けられ（次の図１８を参照）、圧力換気ソールの滑らかな下面が、取り付けられるシューズのアウトソールのカウンターサーフェスを形成し、そこに接着、溶接、スプレー、又は縫い付けられてもよい。
【０１６９】
図１８は、圧力換気ソール４０の実施形態のそのような変形例を示しており、前述の例のすべての説明が適用される。柔軟なエッジング４４が波形構造ソール１の下側に成形される場合、圧力換気ソールの特に良好な機械的処理が得られる。ただし、圧力換気ソールの他のすべての機能は同じままである。
【０１７０】
そのような可撓性の柔軟なエッジング４４は、図１８の破線５４、５５によって示されている。実際には、エッジングは、薄いプラスチックプレート又はフィルム(Folie)として構造ソール１の下側に接着又は吹き付けられている。
【０１７１】
エッジング４４は、好ましくは、構造ソール１と同じ波形を有し、構造ソール１の波形を横方向外側に連続させる。それにより、エッジング４４及びその上にある押圧プレート２０、２０‘から形成された圧縮性換気チャネル構造４６は、圧力換気ソール４０、４０ａ〜４０ｅの換気構造にも続く。
【０１７２】
同じ図は、ブランドソールとしての形成にも適用される。説明を簡単にするために、ブランドソールとしての使用について以下の説明で説明する。構造ソール１とＳｔｒｏｂｅｌミシン縫製又は釣り込み(Zwicken)によるシューズのアッパーへの取り付けとの単純化された統合を達成するために、構造ソール１は、プラスチックから構成されたエラストマーエッジング４４に、エッジ側で、好ましくは全周で、接続される。前記釣り込み(Zwickeinschlag)に必要なツールは、エッジング４４にかみ合うことができ、且つ硬い構造ソール１に直接かみ合う必要はない。
【０１７３】
靴の内側の空気の流れを改善するために、エッジング４４の換気チャネル２１の口が弓形の切り欠き４７として設計されることが意図され得る。この実施形態は、図１から図１８のすべての実施例と見なすことができる。
【０１７４】
構造ソールの波状構造、及びしたがってそれと相互作用する換気構造は、圧力換気ソール４０の表面積全体にわたって、又は表面のより小さな部分のみにわたって延びることができることは、図１から１８のすべての実施例に当てはまる。図１は、使用されている構造、それは表面全体に広がっていない、の一部のみを示している。
【０１７５】
ただし、この図では、示されている構造が前足領域とかかと領域との間の接続領域５８に延びていることが概略的に示されている。その結果、互いに異なる角度で配置された前足領域とかかと領域の構造が接続部５８で出会う。
【符号の説明】
【０１７６】
１  構造ソール
２  波（Ｗｅｌｌｅｎ、起伏）
３  かかと領域
４  前足領域
５  長手方向の中心線
６  ＣＯＰライン（裸足）
７  波(起伏)（３における）
８  波（起伏）（４における）
９  穿孔
１０  押圧プレート１０’’’
１１  波の山
１２  波の谷間
１３  矢印方向
１４  矢印方向
１５  （１０の）曲げ線
１５‘  曲げ線
１６  （１０における）穴
１７  圧縮スペース、１７’
１８  カウンタープレート
１９  矢印方向
２０  押圧プレート２０’
２１  換気チャネル
２２  上部素材
２３  インソール(Einlegesohle)
２４  ブランドソール(Brandsohle)
２５  釣り込み(Zwickeinschlag)
２６  スペーサープレート
２７  ソール
２８  矢印方向（圧力）
２９  接続点
３０  押圧プレート
３１  （３０の）波の山３０ａ、３０ｂ、３０ｃ
３２  （３０の）波の谷
３３  （３０の）波形構造
３４  エラストマーコーティング
３５  接触面（Aufstandsflaech）
３６  矢印方向
３７  半透膜
３８  凹部
３９  矢印方向
４０  ａ、ｂ、ｃ、ｄ  圧力換気ソール
４１  層構造
４２  充填材料
４３  ブリッジ
４３ａ  フラットブリッジ
４３ｂ  アーチブリッジ
４４  エッジング(Randeinfassung)
４５  カバレッジエリア
４６  換気チャネル構造（４４の）
４７  アーチ型部分図（オプション）
４８  織物
４９  足指領域
５０  足裏のふくらみ領域
５１  中足領域
５２  ヒール領域
５３  エラストマー圧力体（３０ｄ）
５４  内側境界
５５  外側境界
５６  接着面
５７  充填材料
５８  接続領域
【０１７７】
請求項１
圧力換気ソール（４０ａ−ｅ）として、足の裏の押圧プレート（１０、２０、３０）と下のソールの間の空間で、横断プロファイリングで歩くときに、ユーザーの体重によって変位可能であり、且つ換気の意味でそこに含まれる空気量を押しのける、柔軟な押圧プレート（１０、２０、３０）が下部ソールに載る形態で設計されている、靴のインソール又はブランドソールであって、前記圧力換気ソール（４０ａ−ｅ）の前記下部ソールは、ばね鋼又は同等のプラスチック材料から波状の構造ソール（１）として作られており、その横断プロファイリングは、波状プロファイルとして形成されており、且つ前記構造ソール（１）に垂直に作用する圧縮力に対して圧力安定性があり且つ変形に対して耐性があること、及び前記足の裏にある押圧プレート（１０、２０、３０）は、ポンププレート及び／又は圧縮プレートのように、前記構造ソール（１）の形状安定した波の谷間（１２）内に移動可能であることを特徴とする、インソール又はブランドソール。
請求項２
前記構造ソール（１）の前記それぞれの波の谷間（１２）がチャネル形状の圧力換気圧縮空間（１７）を形成し、押圧プレート（１０、２０、３０）が谷の谷間を上から覆い、その縦方向の延長に空気と水分の循環があることを特徴とする、請求項１に記載のインソール又はブランドソール。
請求項３
前記チャネル形状の圧縮空間（１７）が、端部の少なくとも一方の側で開いていることを特徴とする、請求項２又は３に記載のインソール又はブランドソール。
請求項４
前記チャネル形状の圧縮空間（１７）は、前記構造ソール（１）の穿孔（９）を介して換気及び排気可能であることを特徴とする、請求項２又は３に記載のインソール又はブランドソール。
請求項５
前記チャネル形状の圧縮空間（１７）はまた、押圧プレート（１０、２０、３０）の穴（１６）を介して換気及び廃棄可能であることを特徴とする、請求項２〜４のいずれか一項に記載のインソール又はブランドソール。
請求項６
前記押圧プレート（１０）が、前記構造ソール（１）の波の谷間（１２）に変形するのに適した平坦な可撓性プレートからなることを特徴とする、請求項１〜５のいずれか一項に記載のインソール又はブランドソール。
請求項７
前記押圧プレート（２０）が、可撓性プレートを有する波状構造（３３）からなること、及び前記押圧プレート（３０）の前記波状構造（３３）が前記構造ソール（１）の波状構造に対して相補的又は少なくとも部分的に相補的であることを特徴とする、請求項１〜６のいずれか一項に記載のインソール又はブランドソール。
請求項８
前記押圧プレート（３０）の前記波状構造（３３）の波の谷間（３２）が前記構造ソール（１）の波の山上（１１）にあること、及び前記押圧プレート（３０）の波の山（３１）が前記構造ソール（１）の波の谷間（１２）の反対側にあり、且つ前記チャネル形状の圧力換気された圧縮空間（１７）を形成することを特徴とする、請求項７に記載のインソール又はブランドソール。
請求項９
前記押圧プレート（３０）の波の山（３１）が、前記構造ソール（１）の波の谷（１２）に弾性変形を曲げるのに適していることを特徴とする、請求項７又は８に記載のインソール又はブランドソール。
請求項１０
前記押圧プレート（１０、２０、３０）の上側に、好ましくは１つの、メモリー効果を形成するプラスチック材料から形成される、ユーザーの靴底に向けられたエラストマーコーティング（３４）が配置されていることを特徴とする、請求項１〜９のいずれか一項に記載のインソール又はブランドソール。
請求項１１
前記押圧プレート（１０、２０、３０）は、前記下にある構造ソール（１）とほぼ同じ面積であることを特徴とする、請求項１〜１０のいずれか一項に記載のインソール又はブランドソール。
請求項１２
構造ソール（１）と押圧プレート（１０、２０、３０）とから構成される圧力換気ソール（40、40a、40b）は、ハーフソール又はフルソールとして設計されていることを特徴とする、請求項１〜１１のいずれか一項に記載のインソール又はブランドソール。
請求項１３
上部素材（２２）及び／又は靴底（２７）を介した圧力換気ソール（４０、４０ａ、４０ｂ）が換気及び排気可能であることを特徴とする、請求項１〜１２のいずれか一項に記載のインソール又はブランドソール。
請求項１４
換気及び廃棄孔の領域に半透膜（３７）が配置されることを特徴とする、請求項１３に記載のインソール又はブランドソール。
請求項１５
前記構造ソール（１）は、前記構造ソールの縦方向の回転運動を可能にするが、これに垂直な方向のたわみは、長手方向軸に対して斜めの角度に向けられた横断プロファイリングの波（2）の配置により、横方向の安定性と縦方向の柔軟性を有するという事実によって防止されることを特徴とする、請求項１３に記載のインソール又はブランドソール。
請求項１６
横断プロファイリングの個々の波（２）は、少なくとも前足領域で、縦方向の中心線に対して７０〜８５度、好ましくは７７度、の角度で延びていることを特徴とする、請求項１５に記載のインソール又はブランドソール。
請求項１７
少なくとも前記構造ソール（１）の端部がエラストマーのエッジング（４４）に接続されていることを特徴とする請求項１〜１６のいずれか一項に記載のインソール又はブランドソール。
請求項１８
そこにある押圧プレート（２０、２０‘）に関連するエッジング（４４）は、圧力換気ソール（４０、４０ａ−４０ｅ）の換気チャネル（２１）に気密に接続された、チャネル構造（４６）を形成していることを特徴とする請求項１７に記載のインソール又はブランドソール。
【図１】
2020527444.tif 000003
【図２】
2020527444.tif 000004
【図３】
2020527444.tif 000005
【図４】
2020527444.tif 000006
【図５】
2020527444.tif 000007
【図６】
2020527444.tif 000008
【図７】
2020527444.tif 000009
【図８】
2020527444.tif 000010
【図９】
2020527444.tif 000011
【図１０】
2020527444.tif 000012
【図１１】
2020527444.tif 000013
【図１２】
2020527444.tif 000014
【図１３】
2020527444.tif 000015
【図１４】
2020527444.tif 000016
【図１５】
2020527444.tif 000017
【図１６】
2020527444.tif 000018
【図１７】
2020527444.tif 000019
【図１７Ａ】
2020527444.tif 000020
【図１８】
2020527444.tif 000021
【国際調査報告】
2020527444.tif 000022
2020527444.tif 000023
2020527444.tif 000024
2020527444.tif 000025
2020527444.tif 000026